(57)【要約】      （修正有）【課題】プレボーリングを行わずに中空パイルの埋設を行う際、埋設した中空パイルの先端の地盤に根固め液を効果的に吐出して、埋設後に十分な支持力を得る。【解決手段】中空パイル１の下端部に推進部１０を配置して、回転ロッド３０により推進部２０に回転力を加えて、中空パイル１を地中に推進していく。このとき、回転ロッド３０の先端に一体形成されたクラッチ体の根固め液を吐出する吐出部は、掘削部２０のカバー２２ｅによって、掘削土砂から保護されている。中空パイル１の埋設が完了したら、クラッチ体を降下させて、吐出部をカバー２２ｅから露出させ、吐出部から根固め液を吐出して中空パイル１の根固めを行う。【選択図】図６
2009270402.tif 000002
【特許請求の範囲】
【請求項１】
中空パイルの下端部に配置した掘削部と、下端部にクラッチ体を備えた中空パイル内に挿通された回転ロッドと、前記クラッチ体の下端部に設けられた根固め液を吐出する吐出手段と、前記吐出手段を掘削土砂から保護する保護手段と、を備え、前記クラッチ体が前記掘削部に係脱自在な埋設装置であって、
前記クラッチ体は上下の異なる位置で前記掘削部に係脱する係脱位置変更手段を備え、
根固め液を吐出するときは、前記クラッチ体は前記掘削部と下方位置で係合して前記吐出手段を前記保護手段から地盤中へ露出させることを特徴とする埋設装置。
【請求項２】
請求項１に記載された埋設装置において、
中空パイルの下端部に外周に推進用の螺旋翼を備えた円筒状の推進部を備え、前記掘削部を前記推進部の下端に接合したことを特徴とする埋設装置。
【請求項３】
請求項１又は２に記載された埋設装置において、
前記掘削部は、前記保護手段及び当該保護手段と一体に設けた掘削板を有し、前記掘削板は前記第一の嵌挿溝又は第二の嵌挿溝に嵌挿される凸条を中心孔の内周に備えた天板を有することを特徴とする埋設装置。
【請求項４】
請求項１ないし３のいずれかに記載された埋設装置において、
前記係脱位置変更手段は、上下に所定間隔を隔てて配置された前記掘削部の掘削板と回り止め連結される第一及び第二の嵌挿溝から成ることを特徴とする埋設装置。
【請求項５】
請求項１ないし４のいずれかに記載された埋設装置において、
前記吐出手段を掘削土砂から保護する保護手段は、前記吐出手段が嵌挿する穴を備えた底面と該底面周辺部に立設した保護壁とを有することを特徴とする埋設装置。
【請求項６】
請求項１ないし５のいずれかに記載された埋設装置において、
前記吐出手段は、回転ロッドに着脱自在に取り付けられていることを特徴とする埋設装置。
【請求項７】
請求項１ないし６のいずれかに記載された埋設装置を、中空パイル下端に配置して前記中空パイルを所定の埋設位置に設置する工程と、
前記推進部及びこれに接合された前記掘削部を前記クラッチ体で回転させて中空パイルを地盤中に推進する工程と、
前記中空パイルを所定深度に推進させたとき、前記吐出手段を下降させて前記保護手段から露出させる工程と、
前記露出させた吐出手段から根固め液を吐出する工程と、を有することを特徴とする中空パイルの埋設方法。
【請求項８】
請求項７に記載された中空パイルの埋設方法において、
前記根固め液を吐出した後、前記クラッチ体と前記掘削部との回り止め連結を解除する工程と、
前記クラッチ体を地上に引き上げる工程と、を有することを特徴とする中空パイルの埋設方法。
【請求項９】
請求項７又は８に記載された中空パイルの埋設方法において、
前記所定深度に推進した中空パイルの先端内部に結合材を投入する工程を有することを特徴とする中空パイルの埋設方法。
【発明の詳細な説明】
【技術分野】
【０００１】
本発明は、既成の中空パイルを無排土で効率よく埋設するための埋設方法及びこれに使用する埋設装置に関する。
【背景技術】
【０００２】
コンクリート製等の中空パイルは基礎杭として多用されているが、中空パイルを地盤に埋設するに際して排出される排土（廃土）の処理は、その運搬車両の出す排気ガス、騒音、振動等の問題に加え、排土自体の置き場の問題があるため、環境保全の見地からできるだけ排土を出さないような工法つまり、中空パイルを無排土で地盤に埋設できる工法が採用されている。
【０００３】
この無排土による中空パイルの埋設方法としては、地盤をアースオーガや掘削装置と攪拌翼等を有する掘削攪拌ジグを用いて予め埋設孔を掘削し（プレボーリング工程）、この掘削撹拌ジグが支持層の所定深度に達したときに、ジグの先端部よりセメントミルクなどの根固め液を注入した後、この穴内に既製の中空パイルを建て込み（埋設工程）、かつ地上に漏れ出た土砂をバックホウで埋め戻し埋設する基礎杭の築造方法が知られている（特許文献１参照）。
この基礎杭の築造方法では、掘削攪拌ジグにより地盤を掘削するから、硬い地盤であっても容易に埋設穴を形成でき、根固め液をその埋設穴の底部に注入して、建て込んだ中空パイルが十分な支持力を得ることができる。
【０００４】
しかしながら、この基礎杭の築造方法は上述したように地盤を掘削するプレボーリング工程や、掘削により一旦排出した土砂を再び埋め戻す等の作業が必要なことから、地盤が硬い場合はともかく、そうでない場合にまでこの基礎杭の築造方法を実施するのは作業効率、或いはコスト面からみて得策ではない。
【０００５】
この問題を解決するものとして、中空パイルの下端に遊嵌状に推進ヘッドを取り付け、この推進ヘッドをパイルの中空部中に配置した回転ロッドで回転させて、推進ヘッドのみを地盤にネジ込むように回転させて中空パイルを地盤中に貫入させる杭の埋設工法が知られている（特許文献２参照）。
この工法は、中空パイルを直接地盤中に埋設できるため、作業能率或いはコスト面からみて上述したプレボーリング工程を要する工法より有利である。
【０００６】
しかしながら、この杭の埋設工法においては、埋設した中空パイルが十分な支持力を得るために、その埋設した中空パイルに取り付けた推進ヘッドからセメントミルクなどの根固め液を地盤に吐出し、中空パイルの根固めを行う必要があるが、この中空パイルの埋設時に、この根固め液の吐出孔に土砂が詰まる虞があり、根固め液を効果的に吐出できない場合が生じるという問題がある。
【特許文献１】特開２００４−９２０２５号公報
【特許文献２】特開２００２−８１０５９号公報
【発明の開示】
【発明が解決しようとする課題】
【０００７】
本発明は、上記従来の問題を解決するために成されたものであって、その目的は、プレボーリングを行わずに中空パイルの埋設を行う際、埋設した中空パイルの先端の地盤に根固め液を効果的に吐出して、埋設後に十分な支持力を得ることである。
【課題を解決するための手段】
【０００８】
本発明は、中空パイルの下端部に配置した掘削部と、下端部にクラッチ体を備えた中空パイル内に挿通された回転ロッドと、前記クラッチ体の下端部に設けられた根固め液を吐出する吐出手段と、前記吐出手段を掘削土砂から保護する保護手段とを備え、前記クラッチ体が前記掘削部に係脱自在な埋設装置であって、前記クラッチ体は上下の異なる位置で前記掘削部に係脱する係脱位置変更手段を備え、根固め液を吐出するときは、前記クラッチ体は前記掘削部と下方位置で係合して前記吐出手段を前記保護手段から地盤中へ露出させることを特徴とする。
本発明は中空パイルの埋設方法であって、上記発明の埋設装置を中空パイル下端に配置して、前記中空パイルを所定の埋設位置に設置する工程と、前記推進部及びこれに接合された前記掘削部を前記クラッチ体で回転させて中空パイルを地盤中に推進する工程と、前記中空パイルを所定深度に推進させたとき、前記吐出手段を下降させて前記保護手段から露出させる工程と、前記露出させた吐出手段から根固め液を吐出する工程と、を有することを特徴とする。
【発明の効果】
【０００９】
本発明によれば、プレボーリングを行わずに中空パイルの埋設を行う際、埋設した中空パイルの先端の地盤に根固め液を効果的に吐出でき、埋設後に十分な支持力を得て、中空パイル上に建設する建物を堅固に支持することができる。
【発明を実施するための最良の形態】
【００１０】
以下、本発明の実施形態に係る杭の埋設工法及び埋設装置について添付した図面を参照して説明する。
図１は杭、ここでは中空パイルを地盤に埋設するために、パイルの先端に装着した埋設装置の一部を断面で示した側面図である。
埋設装置Ａは、埋設しようとする中空パイル１の先端（下端）に装着される円筒状の推進部１０と、推進部１０の先端（下端）に例えば溶接などで接合された掘削部２０と、掘削部２０と回り止め連結して掘削部２０及び推進部１０に回転力を与えるための回転ロッド３０とから構成されている。
【００１１】
推進部１０は、中空パイル１の先端に装着される円筒体１２と、この周面に設けられた推進用の螺旋翼１４とから成っている。
円筒体１２の地中側先端面には、その外径と略等しい外径を有する天板２１が円筒状内面を塞ぐように接合されている。中空パイル１内に挿通された中空の回転ロッド３０の地上側には、埋設装置Ａ全体を回転させるため回転駆動装置（図示せず）が連結されている。天板２１は、中央に回転ロッド３０の先端に設けられた後述する略円筒状のクラッチ体３１を嵌挿するための孔２１ａが設けられている。
【００１２】
掘削部２０は、上記天板２１と、この天板２１の地中側の面に例えば溶接などで接合された１対の脚部２２ａと、この脚部２２ａ同士を連結する山型の連結部２２ｂとから成る全体が門型の板状の掘削板２２とから成っている。
一対の脚部２２ａ間の略矩形の空間部２２ｄには、クラッチ体３１が嵌挿される。また、天板２１の孔２１ａに対応した掘削板２２の図中上側中央部には、この空間部２２ｄ及び空間部２２ｄに嵌挿されるクラッチ体３１を覆うように、有底円筒状の保護手段であるカバー２２ｅ（図３参照）が一体に設けられている。
上記山型の連結部２２ｂの中央部には、空間２２ｄに連続して上記根固め液を吐出するための後述する吐出部３２を嵌挿するための切欠部２２ｃが下方に向かって形成されている。また、掘削板２２の先端部には固い地盤を効果的に掘削するための複数の掘削刃２３ａ〜２３ｄが取り付けられている。
【００１３】
この埋設装置Ａの内部には、埋設装置Ａを中空パイル１に装着したときに中空パイル１の先端面が当接する円環状の中間板１５が、また、掘削部２０の天板２１と中間板１５との間に、中間板１５を中空パイル１の軸の中心に沿って回転させるための、例えば図示しないローラが配置されている。即ち、中空パイル１は、中間板１５と図示しないローラを介して埋設装置Ａの天板２１と接触し、埋設装置Ａが回転ロッド３０により回転したときに、この回転力が中空パイル１に伝達されないように構成されている。
【００１４】
回転ロッド３０の先端（下端）部に一体に設けられたクラッチ体３１は、天板２１の中心孔２１ａの周りに設けられた回り止め連結する後述する凸条部２１ｃ（図３Ａ参照）と係脱自在に構成され、回転ロッド３０の正回転時に連結して埋設装置Ａ全体を回転させ、かつ逆回転時には連結を解除して回転ロッド３０及びクラッチ体３１を外部に引き出すことができるように構成されている。
【００１５】
図２は、クラッチ体３１の構成を模式的に示す拡大斜視図である。
クラッチ体３１は円筒状の鋳鉄などの金属ブロックで構成され、図１に示した天板２１の孔２１ａに嵌挿できるように、その円筒の周面を対称状にその一部を下端部まで切り欠いた切欠面３１ａと、切欠面３１ａの形成によりその上端側に残った周面の段差で形成されたストッパー３１ｂと、切欠面３１ａの上端から円筒の周方向に所定幅で切り欠いて形成され、天板２１の後述する凸条部２１ｃが嵌挿する第二の嵌挿溝３１ｃと、第二の嵌挿溝３１ｃから所定の距離下方で、同様に、円筒の周方向に所定幅で切り欠いて形成された上記凸条部２１ｃを嵌挿する第一の嵌挿溝３１ｄと、切欠面３１ａと第二の嵌挿溝３１ｃ及び第一の嵌挿溝３１ｄにより形成された掘削板２２と当接する第二の当接面３１ｅと、切欠部３１ａと第一の嵌挿溝３１ｄにより形成された掘削板２２と当接する第一の当接面３１ｆとを備えている。
【００１６】
クラッチ体３１の先端面に形成されたセメントミルクなどの根固め液を吐出するための中空部３２には、中空部３２から吐出される根固め液を側方へ吐出する手段である吐出部３３が着脱自在に取り付けられている。
この吐出部３３の外周には、図示しない弁が設けられた吐出孔３３ａが複数（本実施形態では２つ）設けられており、吐出部３３から根固め液を吐出するときは、根固め液の吐出圧力によりこの弁が外方に開き、吐出が終わると、例えばバネ等の付勢力により弁が閉じるように構成されている。
また、吐出部３３は、図１に示した掘削板２２に形成された切欠部２２ｃ内に容易に進出できるように、その先端に球面状のガイド面が形成されている。
【００１７】
即ち、クラッチ体３１は、天板２１の後述する凸条部２１ｃとの回り止め連結する連結位置（掘削部２０との係脱位置）を第一の嵌挿溝３１ｄと第二の嵌挿溝３１ｃとに変更する係脱位置変更手段であり、この係脱位置を変更することで、クラッチ体３１（回転ロッド３０）の先端に取り付けられた吐出部３３の位置を掘削推進方向上下に変更することができる。
なお、この吐出部３３は、例えば、溶接、ねじ係合やボルト接合等、中空部３２から供給される根固め液を吐出孔３３ａから吐出できる接合方法、即ち、中空部３２と吐出部３３との間を密に接合できる方法であればどのような接合方法でクラッチ体３１と接合してもよい。
【００１８】
図３は、掘削部２０の天板２１と掘削板２２とを夫々示した斜視図であり、図３Ａは天板２１、図３Ｂは掘削板２２を示す。
図３Ａに示すように、掘削部２０の天板２１に形成された孔２１ａは、図２に示したクラッチ体３１が挿通可能であるがストッパー３１ｂは挿通し得ない形状、例えば、図示のように、クラッチ体３１の下面の形状と略同形の、円形孔の周縁の一部を対称に大径の扇状に切り欠いた形状を成している。
孔２１ａを上記のように形成することにより、天板２１の内周の扇状に切り欠いた孔間に凸条部２１ｃが形成され、この凸条部２１ｃは、図２に示したクラッチ体３１の第一の嵌挿溝３１ｄ又は第二の嵌挿溝３１ｃに嵌挿されてクラッチ体３１と回り止め連結する。即ち、この孔２１ａの円形部分を大径の扇状に切り欠くことで形成される円形部分と扇状部分との切り替わり面は、上記凸条部２１ｃを図２に示したクラッチ体３１の第一の嵌挿溝３１ｄ又は第二の嵌挿溝３１ｃに嵌挿したときにクラッチ体３１と当接する当接面２１ｂとなる。
【００１９】
図３Ｂに示すように、保護手段である吐出手段を掘削土砂から保護するカバー２２ｅは、底面の中央部、即ち掘削板２２の切欠部２２ｃに対応する位置に図２に示したクラッチ体３１の吐出部３３を嵌挿する嵌挿孔２２ｆと、この底面の周辺部に立設された円筒状の保護壁とから成っている。
この嵌挿孔２２ｆの径は、クラッチ体３１の吐出部３３の外径と略一致しており、吐出部３３をこの嵌挿孔２２ｆに嵌挿すると、嵌挿孔２２ｆは吐出部３３により閉塞されるように構成されている。
なお、このカバー２２ｅは、必ずしも円筒状である必要はなく、吐出手段を掘削土砂から保護するものであれば、例えば、多角形、楕円状或いは円錐状であってもよい。
【００２０】
次に、図１〜図３を参照しつつ、本埋設装置Ａの組立手順について説明する。
埋設装置Ａの組立は、図２に示したクラッチ体３１を天板２１の孔２１ａに挿通して、第一の嵌挿溝３１ｄの位置（高さ）と、天板２１の高さを合わせて、クラッチ体３１を掘削方向（本実施形態では時計回り方向）に回転させ、天板２１の凸条部２１ｃとクラッチ体３１の第一の嵌挿溝３１ｄとを係合、即ち回り止め連結することにより行う。
なお、このときは図２に示した第一の当接面３１ｅは、掘削板２２の側面に当接しておらず、任意の隙間を有して配置されている。
埋設装置Ａを組み立てると、クラッチ体３１の吐出部３３の先端部は図３Ｂに示した嵌挿孔２２ｆに嵌挿される。即ち、嵌挿孔２２ｆは吐出部３３の先端部により閉塞され、中空パイル１の埋設時に嵌挿孔２２ｆから埋設装置Ａ内部への掘削土の侵入を防止する。
【００２１】
クラッチ体３１と天板２１とが回り止め連結すると、回転軸３０の回転力はクラッチ体３１の第一の嵌挿溝３１ｄから天板２１の凸条部２１ｃに作用し、掘削部２０とともに推進部１０も同方向に回転して掘削を行う。
なお、掘削部２０の回転に対する地盤の抵抗により、図２に示したクラッチ体３１の第一の嵌挿溝３１ｄと凸条部２１ｃの当接面２１ｂとの接触面に大きな応力が加わり、凸条部２１ｃが圧縮変形することが考えられる。この場合、図４に示すように、凸条部２１ｃの圧縮変形により、クラッチ体３１がより掘削方向に回転して、圧縮変形した凸条部２１ｃの当接面２１ｂと第一の嵌挿溝３１ｄとが当接する（図中矢印（i））と共に、上記任意の隙間を有して配置されていた第一の当接面３１ｆが掘削板２２の側面に当接する（図中矢印（ii））。即ち、凸条部２１ｃが圧縮変形すると、クラッチ体３１は、天板２１の当接面２１ｂと、掘削板２２の側面とに当接するようになり、掘削部２０に加わる応力を分散して回転力を伝達するため、凸条部２１ｃの破損の進行が防止できる。
【００２２】
他方、回転軸３０を僅かに逆回転させるとクラッチ体３１と天板２１の回り止め連結が解除され、クラッチ体３１の下面の形状が天板２１の孔２１ａの形状と合致したところでクラッチ体３１を引き上げることで、クラッチ体３１を天板２１の孔２１ａから引き抜くことができる。
【００２３】
また、中空パイル１の埋設が完了し、図２に示した吐出部３３から根固め液をその先端側の地盤に吐出するときは、第一の嵌挿溝３１ｄにて天板２１の凸条部２１ｃと連結しているクラッチ体３１を、掘削方向と逆方向に回転させ、第一の嵌挿溝３１ｄでの連結を解除する。続いて、連結を解除した状態でクラッチ体３１を掘削推進方向（地盤方向）に降下させ、クラッチ体３１のストッパー３１ｂの下面を天板２１の上面に当接させた後、再度クラッチ体３１を掘削方向に回転させて第二の嵌挿溝３１ｃと天板２１の凸条部２１ｃとを回り止め連結させる。
【００２４】
このとき、クラッチ体３１の吐出部３３は、掘削部２０のカバー２２ｅに形成された嵌挿孔２２ｆから掘削板２２の切欠部２２ｃ内に突出し、吐出部３３の吐出孔３３ａをカバー２２ｅの外に露出するとともに、吐出部３３の根元で嵌挿孔２２ｆを閉塞する（後述する図６参照）。
【００２５】
次に、以上で説明した埋設装置Ａを用いた中空パイルの埋設方法について説明する。
図５〜図７は、中空パイルを地盤中に埋設する工程を説明するため、同装置Ａの一部を断面で示した側面図である。
まず、埋設すべき中空パイル１の下端部に推進部１０の円筒体１２を配置し、この推進部１０に対してクラッチ体３１の第二の嵌挿溝３１ｃ（図２参照）を介して、中空パイルに挿入した回転ロッド３０を推進部１０に装着し、このようにして合体させた推進部１０と回転ロッド３０を中空パイルの下方に配置する。続いて、埋設装置Ａを装着した中空パイル１を所定の埋設位置に設定する。
図５は、このようにして中空パイル１の下端に配置した埋設装置Ａを用いて中空パイル１を埋設するため、掘削ヘッド２１が地盤中に進入を開始した状態を示す。
この状態では、回転ロッド３０の回転により埋設装置Ａが正回転して、掘削部２０及びこれに取り付けられている複数の掘削刃２３ａ〜２３ｄにより地盤を掘削しつつ、推進部１０による推進、つまり螺旋翼１４の回転による推進力により中空パイル１が地盤中に推進されていく。
【００２６】
図６は、埋設装置Ａによる掘削及び中空パイル１の推進が所定深度（支持層）に達した状態を示す。
即ち、中空パイル１の先端が所定の深度に達すると、回転ロッド３０の正転を停止した後、少し逆転させて停止する。この回転ロッド３０の逆転によりクラッチ体３１は天板２１に設けた凸条部２１ｃ（図３Ａ参照）から外れる。この状態で、上述したようにクラッチ体３１を掘削推進方向へ降下させて、再度クラッチ体３１を掘削方向に回転させ、第二の嵌挿溝３１ｃ（図２参照）と天板２１の凸条部２１ｃとを回り止め連結させる。次に、図６に示すように、カバー２２ｅから装置外へ露出した吐出部３３の吐出孔３３ａからセメントミルクなどの根固め液を吐出して、掘削部２０によって掘削撹拌された地盤及びその周辺部の根固めを行う。
【００２７】
なお、根固め液を地盤中の広範囲に渡って吐出するために、根固め液を吐出しつつ中空パイル１を地中に推進させて行くときは、第二の嵌挿溝３１ｃと凸条部２１ｃとを連結させた状態で、回転ロッド３０により掘削部２０を回転させる。このとき、根固め液の吐出圧によって根固め液を吐出する吐出孔３３ａに掘削土砂が詰まることを防止する。
また、根固め液の吐出を完了した後に、回転ロッド３０によって掘削部２０を回転させて土砂を撹拌することで、一層根固め液を地盤中に撹拌することができる。
【００２８】
図７は、回転ロッド３０を地上に引き上げた状態を示す図である。
上述したように中空パイルの根固めを行った後、再び回転ロッド３０を逆転させて、クラッチ体３１と凸条部２１ｃとの連結を解除し、回転ロッド３０及びこれと一体に形成されたクラッチ体３１を引き上げる。他方、推進部１０及び掘削部２０は回転ロッド３０（クラッチ体３１）との接続が外れ、中空パイル１と一体となった状態で所定の深度に埋設される。
【００２９】
以上で説明したように、中空パイル１を地盤中に推進しているときは、根固め液を吐出する吐出孔３３ａをカバー２２ｅで掘削土砂から保護し、根固め液を吐出するときのみ吐出孔３３ａを装置外に露出するから、吐出孔３３ａに掘削土砂などの異物が詰まることを完全に防止し、効果的に中空パイル１の根固めを行うことができる。
また、本実施形態に係る埋設装置Ａは、埋設した中空パイル１の下端の推進部１０及び掘削部２０をそのまま地盤中に残す。そのため、中空パイル１は所定位置に埋設された状態で、その先端部は螺旋翼１４による大きな支持面積を得ることができ、吐出された根固め液と支持層地盤の土砂で形成されたソイルセメントＳと埋設装置Ａ（推進部１０及び掘削部２０）とが一体化して、建物の荷重及び地震時の引抜力に対する大きな抵抗力を発揮することができる。
【００３０】
なお、中空パイル１の埋設が完了した後、中空パイル１の先端内部に、例えば掘削土砂と根固め液との改良体（ソイルセメント）などのセメントを利用した材料（ここでは、結合材という）を投入すると、中空パイル１の下端と推進部１０及び掘削部２０とが結合され、上記引抜力に対するより大きな抵抗力を得ることができる。
【図面の簡単な説明】
【００３１】
【図１】中空パイルの先端に装着した埋設装置の一部を断面で示した側面図である。
【図２】クラッチ体の構成を模式的に示す図である。
【図３】掘削部を天板と掘削板とで分割して示した斜視図であり、図３Ａは天板の、図３Ｂは掘削板の斜視図である。
【図４】クラッチ体と、天板及び掘削板との当接状態を説明する図である。
【図５】掘削ヘッドが地盤中に進入を開始した状態を示す図である。
【図６】埋設装置による掘削及び中空パイルの推進が所定深度に達した状態を示す図である。
【図７】回転ロッドを地上に引き上げた状態を示す図である。
【符号の説明】
【００３２】
１・・・中空パイル、１０・・・推進部、１２・・・円筒体、１４・・・螺旋翼、１５・・・中間板、２０・・・掘削部、２１・・・天板、２１ａ・・・孔、２１ｂ・・・当接面、２１ｃ・・・凸条部、２２・・・掘削板、２２ａ・・・脚部、２２ｂ・・・連結部、２２ｃ・・・切欠部、２２ｄ・・・空間部、２２ｅ・・・カバー、２２ｆ・・・嵌挿孔、２３ａ，２３ｂ，２３ｃ，２３ｄ・・・掘削刃、３０・・・回転ロッド、３１・・・クラッチ体、３１ａ・・・切欠面、３１ｂ・・・ストッパー、３１ｃ・・・第二の嵌挿溝、３１ｄ・・・第一の嵌挿溝、３１ｅ・・・第二の当接面、３１ｆ・・・第一の当接面、３２・・・中空部、３３・・・吐出部、３３ａ・・・吐出孔。
【図１】
2009270402.tif 000003
【図２】
2009270402.tif 000004
【図３】
2009270402.tif 000005
【図４】
2009270402.tif 000006
【図５】
2009270402.tif 000007
【図６】
2009270402.tif 000008
【図７】
2009270402.tif 000009